(57)【要約】【課題】  インターネット等の通信ネットワークを利用して、プロジェクト単位で、当該プロジェクトを請け負う企業を見つけたい発注企業と、特定のプロジェクトを請け負いたい受注企業とのマッチングを行うことができるプロジェクト受発注システムの実現。【解決手段】  発注企業の各プロジェクト毎に、当該プロジェクトの属性や予算等のプロジェクト情報を関連付けて格納しておくプロジェクト情報データベース38と、受注企業の名称、住所等の属性情報を登録しておく受注企業情報データベース40と、発注企業のパソコン12から、上記受注企業情報に関する検索条件の送信を受けた場合に、上記受注企業情報データベース40内から上記検索条件に合致する受注企業情報を抽出し、抽出した受注企業情報を、発注企業のパソコン12に送信する受注企業情報処理部28を備えたプロジェクト受発注システム10。【選択図】        図２
2005174064.tif 000002
【特許請求の範囲】
【請求項１】
発注企業の各プロジェクト毎に、当該プロジェクトの属性や予算等のプロジェクト情報を関連付けて登録しておくプロジェクト情報記憶手段と、
受注企業の名称、住所等の属性情報を登録しておく受注企業情報記憶手段と、
発注企業の情報端末から、上記受注企業情報に関する検索条件の送信を受けた場合に、上記受注企業情報記憶手段内から上記検索条件に合致する受注企業情報を抽出する手段と、
抽出した受注企業情報を、発注企業の情報端末に送信する手段と、
を備えたことを特徴とするプロジェクト受発注システム。
【請求項２】
各受注企業の受注企業情報には、当該受注企業の抱える人材の属性やスキル等の人材情報が関連付けて登録されており、さらに、
発注企業の情報端末から、上記受注企業情報及び／又は人材情報に関する検索条件の送信を受けた場合に、上記受注企業情報記憶手段内から上記検索条件に合致する受注企業情報及び／又は人材情報を抽出する手段と、
抽出した受注企業情報及び／又は人材情報を、発注企業の情報端末に送信する手段と、
を備えたことを特徴とする請求項１に記載のプロジェクト受発注システム。
【請求項３】
上記人材情報にはスキル情報が含まれていると共に、該スキル情報の各項目毎に、受注企業が所定の評価基準に従って自己評価した保有ポイントが登録されており、さらに、
発注企業の情報端末から、上記スキル情報の各項目毎の評価ポイントが送信された場合に、受注企業のスキル情報の各項目毎の保有ポイントと、発注企業のスキル情報の各項目毎の評価ポイントとを、各項目毎に乗算した後、全ての項目のポイントを合算することにより、受注企業の企業ポイントを算出し、算出結果を発注企業の情報端末に送信する手段と、
を備えたことを特徴とする請求項２に記載のプロジェクト受発注システム。
【請求項４】
発注企業が選択した受注企業の情報端末に対して、当該発注企業のプロジェクトへの応募依頼メールを送信する手段を備えたことを特徴とする請求項１乃至３の何れかに記載のプロジェクト受発注システム。
【請求項５】
受注企業の情報端末から、上記プロジェクト情報に関する検索条件の送信を受けた場合に、上記プロジェクト情報記憶手段内を検索し、上記検索条件に合致するプロジェクト情報を抽出する手段と、
抽出したプロジェクト情報を、受注企業の情報端末に送信する手段と、
を備えたことを特徴とする請求項１乃至４の何れかに記載のプロジェクト受発注システム。
【請求項６】
受注企業の情報端末から送信されたプロジェクトの進捗情報を登録しておく進捗情報記憶手段と、
発注企業の情報端末から、プロジェクトの進捗情報の送信要求が出力された場合に、上記進捗情報記憶手段内から、該当する進捗情報を抽出し、これを発注企業の情報端末に送信する手段と、
を備えたことを特徴とする請求項１乃至５の何れかに記載のプロジェクト受発注システム。
【請求項７】
発注企業の情報端末から送信された受注企業の評価情報を登録しておく評価情報記憶手段と、
発注企業及び／又は受注企業の情報端末から、受注企業の評価情報の送信要求が出力された場合に、上記評価情報記憶手段内から、該当する評価情報を抽出し、これを発注企業及び／又は受注企業の情報端末に送信する手段と、
を備えたことを特徴とする請求項１乃至６の何れかに記載のプロジェクト受発注システム。
【発明の詳細な説明】
【技術分野】
【０００１】
この発明は、インターネット等の通信ネットワークを利用して、ソフトウェアの開発等の専門性が必要な業務（以下、プロジェクトと称する）を発注する企業と受注する企業とのマッチングを行うことができるプロジェクト受発注システムに関する。
【背景技術】
【０００２】
出願人は、先に、インターネット等の通信ネットワークを利用して、ソフトウェアの開発等の専門性を生かせる特定のプロジェクトに従事したい求職者と、プロジェクト単位で、当該プロジェクトの遂行に必要な人材を雇用したい求人企業とのマッチングを行うことができる求人・求職支援システムを提案した（特願２００２−１７５１６４号）。
【０００３】
この求人・求職支援システムは、「求人企業の各プロジェクト毎に、当該プロジェクトの属性や求人条件等のプロジェクト情報を関連付けて格納しておくプロジェクト情報記憶手段と、求職者の情報端末から、上記プロジェクト情報に関する検索条件の送信を受けた場合に、上記プロジェクト情報記憶手段内を検索し、上記検索条件に合致するプロジェクト情報を抽出する手段と、抽出したプロジェクト情報を、求職者の情報端末に送信する手段」とを備えており、求人企業の側は、求人が必要なプロジェクト情報を登録しておき、一方、求職者の側は所望の検索条件を入力してプロジェクト情報を検索することにより、専門性を生かせる特定のプロジェクトに従事したい求職者と、プロジェクト単位で、当該プロジェクトの遂行に必要な人材を雇用したい求人企業とのマッチングを行うことができるようになっている。
上記システムは、企業（求人企業）と個人（求職者）とをプロジェクト単位でマッチングさせるものであり、いわゆる「B to C(Business to Consumer)型」のシステムであった。
【発明の開示】
【発明が解決しようとする課題】
【０００４】
ところで、新規プロジェクトを計画する企業にあっては、当該プロジェクトを遂行する人材をその都度自社で雇用するよりも、他の企業にプロジェクトの遂行を請け負わせることを希望する場合も多いといえる。また、専門知識を備えた優秀な人材を抱える企業が、他社の計画したプロジェクトの遂行を請け負うことを希望することも多いものである。
このため、特定のプロジェクトの発注企業と受注企業とを、プロジェクト単位でマッチングさせる、いわゆる「B to B(Business to Business)型」のシステムの出現が強く望まれていた。
【０００５】
この発明は、上記要請に鑑みて案出されたものであり、インターネット等の通信ネットワークを利用して、プロジェクト単位で、当該プロジェクトを請け負う企業を見つけたいプロジェクトの発注企業と、特定のプロジェクトを請け負いたい受注企業とのマッチングを行うことができるプロジェクト受発注システムの実現を目的としている。
【課題を解決するための手段】
【０００６】
上記の目的を達成するため、請求項１に記載のプロジェクト受発注システムは、発注企業の各プロジェクト毎に、当該プロジェクトの属性や予算等のプロジェクト情報を関連付けて登録しておくプロジェクト情報記憶手段と、受注企業の名称、住所等の属性情報を登録しておく受注企業情報記憶手段と、発注企業の情報端末から、上記受注企業情報に関する検索条件の送信を受けた場合に、上記受注企業情報記憶手段内から上記検索条件に合致する受注企業情報を抽出する手段と、抽出した受注企業情報を、発注企業の情報端末に送信する手段と、を備えたことを特徴とする。
【０００７】
請求項２に記載のプロジェクト受発注システムは、各受注企業の受注企業情報には、当該受注企業の抱える人材の属性やスキル等の人材情報が関連付けて登録されており、さらに、発注企業の情報端末から、上記受注企業情報及び／又は人材情報に関する検索条件の送信を受けた場合に、上記受注企業情報記憶手段内から上記検索条件に合致する受注企業情報及び／又は人材情報を抽出する手段と、抽出した受注企業情報及び／又は人材情報を、発注企業の情報端末に送信する手段と、を備えたことを特徴とする。
【０００８】
請求項３に記載のプロジェクト受発注システムは、請求項２に記載のシステムを前提としたものであり、上記人材情報にはスキル情報が含まれていると共に、該スキル情報の各項目毎に、受注企業が所定の評価基準に従って自己評価した保有ポイントが登録されており、さらに、発注企業の情報端末から、上記スキル情報の各項目毎の評価ポイントが送信された場合に、受注企業のスキル情報の各項目毎の保有ポイントと、発注企業のスキル情報の各項目毎の評価ポイントとを、各項目毎に乗算した後、全ての項目のポイントを合算することにより、受注企業の企業ポイントを算出し、算出結果を発注企業の情報端末に送信する手段と、を備えたことを特徴とする。
【０００９】
請求項４に記載のプロジェクト受発注システムは、発注企業が選択した受注企業の情報端末に対して、当該発注企業のプロジェクトへの応募依頼メールを送信する手段を備えたことを特徴とする。
【００１０】
請求項５に記載のプロジェクト受発注システムは、受注企業の情報端末から、上記プロジェクト情報に関する検索条件の送信を受けた場合に、上記プロジェクト情報記憶手段内を検索し、上記検索条件に合致するプロジェクト情報を抽出する手段と、抽出したプロジェクト情報を、受注企業の情報端末に送信する手段と、を備えたことを特徴とする。
【００１１】
請求項６に記載のプロジェクト受発注システムは、受注企業の情報端末から送信されたプロジェクトの進捗情報を登録しておく進捗情報記憶手段と、発注企業の情報端末から、プロジェクトの進捗情報の送信要求が出力された場合に、上記進捗情報記憶手段内から、該当する進捗情報を抽出し、これを発注企業の情報端末に送信する手段と、を備えたことを特徴とする。
【００１２】
請求項７に記載のプロジェクト受発注システムは、発注企業の情報端末から送信された受注企業の評価情報を登録しておく評価情報記憶手段と、発注企業及び／又は受注企業の情報端末から、受注企業の評価情報の送信要求が出力された場合に、上記評価情報記憶手段内から、該当する評価情報を抽出し、これを発注企業及び／又は受注企業の情報端末に送信する手段と、を備えたことを特徴とする。
【発明の効果】
【００１３】
請求項１に記載のプロジェクト受発注システムによれば、プロジェクト情報を登録した発注企業が、所望の検索条件を入力して自社のプロジェクトを請け負わせたい受注企業情報を検索することにより、プロジェクト単位で、当該プロジェクトを請け負う企業を見つけたいプロジェクトの発注企業と、特定のプロジェクトを請け負いたい受注企業とのマッチングを行うことができる。
【００１４】
請求項２に記載のプロジェクト受発注システムによれば、発注企業は、受注企業情報だけでなく、各受注企業が抱える人材の人材情報に基づいても受注企業の検索を行うことができるので、自社のプロジェクトを遂行できる能力を持った人材を抱えた受注企業を適切に選択することができる。
【００１５】
請求項３に記載のプロジェクト受発注システムによれば、受注企業が登録した「スキル情報の各項目毎の保有ポイント」と、発注企業が送信した「スキル情報の各項目毎の評価ポイント」とを、各項目毎に乗算した後、全ての項目のポイントを合算して算出した受注企業の「企業ポイント」が、発注企業の情報端末に送信されるようになっている。この結果、企業ポイントが高い受注企業ほど、当該発注企業のプロジェクトを遂行できる能力の高いことが判るため、発注企業は、自社のプロジェクトを請け負わせる受注企業を、より一層適切に選択することができる。
【００１６】
請求項４に記載のプロジェクト受発注システムによれば、発注企業は、自社が選択した受注企業の情報端末に対して、自社のプロジェクトへの応募依頼メールを送信することにより、プロジェクトを請け負わせたい受注企業と接触することができる。
【００１７】
請求項５に記載のプロジェクト受発注システムによれば、受注企業は、所望の検索条件を入力してプロジェクト情報を検索することにより、自社が請け負いたいプロジェクトを見つけることができる。
【００１８】
請求項６に記載のプロジェクト受発注システムによれば、プロジェクトを発注した発注企業は、受注企業が登録した当該プロジェクトの進捗情報を閲覧することができるので、自社プロジェクトの進捗状況を容易に把握することができる。
【００１９】
請求項７に記載のプロジェクト受発注システムによれば、プロジェクトを請け負った受注企業は、当該プロジェクトの発注企業が登録した自社の評価情報を閲覧することにより、自社がどのように評価されているかを客観的に把握できる。
上記評価情報を、当該評価情報を登録した発注企業以外の他の発注企業、当該評価情報の対象である受注企業以外の他の受注企業にも広く公開した場合には、各発注企業は、各受注企業の評価情報を参考にした上で自社プロジェクトを請け負う受注企業を見つけることができ、また、各受注企業は、他の受注企業の評価を知ることができる。
【発明を実施するための最良の形態】
【００２０】
図１は、この発明に係るプロジェクト受発注システム10の全体イメージを示すものであり、各発注企業が管理する多数のパソコン（情報端末）12と、各受注企業が管理する多数のパソコン（情報端末）14と、このシステム10の運営者が管理するセンターサーバ16とが、インターネット18（通信ネットワーク）を介してネットワーク接続されている。
上記センターサーバ16は、Webサーバ20（図２参照）、AP（Application）サーバ22（図２参照）の他、図示しないデータベースサーバ、メールサーバ等を備えており、複数のワークステーションやパソコンをネットワーク接続することによって構成されている。尚、単一のコンピュータに各サーバ機能を実現するプログラムをセットアップすることによってセンターサーバ16を構成することもできる。
上記発注企業及び受注企業は、民間企業の他に、国や自治体、特殊法人、或いは法人格を有さない事業体（営利・非営利を問わない）、ＳＯＨＯ、個人事業者等を含む広い概念である。
【００２１】
図２は、このシステム10の機能構成を示すブロック図であり、センターサーバ16を構成するAPサーバ22は、発注企業情報処理部24、プロジェクト情報処理部26、受注企業情報処理部28、評価情報処理部30、電子メール処理部32、進捗情報処理部34、発注企業情報データベース36、プロジェクト情報データベース38、受注企業情報データベース40、評価情報データベース42、電子メールデータベース44、進捗情報データベース46を備えている。
【００２２】
APサーバ22の上記発注企業情報処理部24、プロジェクト情報処理部26、受注企業情報処理部28、評価情報処理部30、電子メール処理部32、進捗情報処理部34は、APサーバ22のＣＰＵがＯＳ及び専用のアプリケーション・プログラムに従って所定の処理を実行することによって実現される。
また、発注企業情報データベース36、プロジェクト情報データベース38、受注企業情報データベース40、評価情報データベース42、電子メールデータベース44、進捗情報データベース46は、APサーバ22のハードディスク等の記憶装置内に格納されている。
【００２３】
各発注企業は、予めこのシステム10のユーザとしての加入手続を完了させておく必要がある。具体的には、自社のパソコン12上に起動させたWebブラウザからセンターサーバ16のURLを入力し、インターネット18経由でセンターサーバ16にアクセスする。そして、パソコン12の画面に表示されるサービスメニューの中から「企業情報登録（発注用）」を選択する（図示省略）。この結果、Webサーバ20から発注企業のパソコン12に、図示しない発注企業情報入力フォームが送信され、必要事項の入力が求められる。
発注企業側では、上記入力フォームに、希望するユーザＩＤ及びパスワードと、企業名称や本店所在地、担当者名、電話番号、電子メールアドレス等の各種属性情報を入力した後、Webサーバ20に送信する。
上記ユーザＩＤは、他のユーザとの識別記号として用いられるため、選択したユーザＩＤが既に他のユーザによって使用されている場合には、他のユーザＩＤの入力が求められる。勿論、システム10側において、各発注企業固有のユーザＩＤ及び／又はパスワードを決定した上で、発注企業のパソコン12に送信・通知するようにしても良い。
企業情報の送信を受けると、APサーバ22の発注企業情報処理部24が起動し、必要的記載事項が全て記述されていることを確認した上で、送信された企業情報を発注企業情報データベース36内に新規登録する。
【００２４】
発注企業情報データベース36内に格納される上記以外のデータ項目としては、例えば、会社の代表者名、設立年月日の他、資本金、従業員数、事業所数といった会社の規模を示すデータや、取引銀行、売上高（前期及び前々期）、税引利益（前期及び前々期）、申告所得（前期及び前々期）といった財務データなど、当該企業の信用力を示すデータが含まれている。
なお、発注企業情報データベース36内に登録される情報としては、上記のように企業側の申告に基づく情報の他、ＣＤ−ＲＯＭ等の記憶媒体に格納されて市販されている企業情報ファイル内に格納されている客観的な情報を当該企業と関連付けて登録しておくこともできる。
【００２５】
上記のようにして一旦このシステム10に加入した発注企業は、ユーザＩＤ及びパスワードの入力による確認手続を経てシステム10にログインし、他社に発注したい特定の業務に関する情報（以下、プロジェクト情報と称する）をシステム10内に登録することができる。
具体的には、図３に示すプロジェクト情報入力フォームをパソコン12の画面上に表示させ、企業名称、プロジェクト名、担当者名、プロジェクトのカテゴリー、プロジェクト内容等のプロジェクトに関する属性、予算、希望納期、応募期限等の所定のプロジェクト情報を入力した後、「登録ボタン」をクリックし、入力データをWebサーバ20に送信する。
これを受けて、APサーバ22のプロジェクト情報処理部26は、送信されたプロジェクト情報に、固有の識別コード（ＩＤ）を付与すると共に、発注企業のユーザＩＤを関連付けた上で、プロジェクト情報データベース38内に格納する。
もちろん、一旦プロジェクト情報を登録した後に発注の必要がなくなった場合や、内容に変更が生じた場合には、何時でもプロジェクト情報の削除・修正が可能である。
【００２６】
次に、図２のブロック図及び図４のフローチャートに基づき、受注企業が、自社の受注企業情報及び人材情報をシステム10に登録する際の処理手順を説明する。
まず、受注企業は、自社のパソコン14上に起動させたWebブラウザからセンターサーバ16のURLを入力し、インターネット18経由でセンターサーバ16にアクセスする。そして、パソコン14の画面に表示されるサービスメニューの中から「企業情報登録（受注用）」を選択する（図示省略）。
この結果、Webサーバ20に対して、受注企業情報の登録要求が送信され、これを受けて（Ｓ10）、Webサーバ20は、図５に示す如き「受注企業情報入力フォーム」を受注企業のパソコン14に送信する（Ｓ12）。
【００２７】
上記受注企業情報入力フォームにおいては、希望するユーザＩＤ及びパスワード、企業名称、住所、電話番号、電子メールアドレス、ＵＲＬ、設立年月日、資本金、従業員数、主要取引先、企業理念等の各種属性情報の入力が求められる。
受注企業が送信された「受注企業情報入力フォーム」の空欄部分に必要事項を入力した後、「登録」ボタン（図５）をクリックすると、入力データがWebサーバ20に送信される。
【００２８】
受注企業情報の送信を受けると（Ｓ14）、APサーバ22の受注企業情報処理部28が、必要的記載事項が全て記入されていることを確認（Ｓ16）した上で、受注企業情報を受注企業情報データベース40内に格納する（Ｓ18）。
尚、上記ユーザＩＤは、他のユーザとの識別記号として用いられるため、選択したユーザＩＤが既に他のユーザによって使用されている場合には、他のユーザＩＤの入力が求められる。勿論、システム10側において、各受注企業固有のユーザＩＤ及び／又はパスワードを決定した上で、受注企業のパソコン14に送信・通知するようにしても良い。
また、受注企業情報の上記入力項目はあくまで一例であり、必要に応じて増減、変更できることはいうまでもない。
【００２９】
本システム10においては、各受注企業が抱える人材についての情報を登録できるようになっている。
人材情報の登録を希望する受注企業は、本システム10のサービスメニューの中から「人材情報登録」を選択する（図示省略）。
この結果、Webサーバ20に対して、人材情報の登録要求が送信され、これを受けて（Ｓ20）、Webサーバ20は、図６に示す如き「人材情報登録フォーム」を受注企業のパソコン14に送信する（Ｓ22）。
【００３０】
上記人材情報登録フォームにおいては、当該人材の生年月日、経験年数、自己アピール等の属性に関する情報の入力が求められる。
また、当該人材の保有するスキル情報を、システム10側で定めた評価基準に従って、自己評価して登録することが求められる。因みに、図６においては、スキル情報として、言語スキルのJava Servlet/JSP（Javaは登録商標、以下同じ）、Java Struts等の項目、設計スキルのWeb系Javaフロントエンド、Web系Java基盤等の項目が設けられている。
図７は、言語スキルのJava Servlet/JSPに関する評価基準を示すものであり、Ａ〜Ｅまでの５段階の基準が設けられていると共に、各段階毎に対応する所定のポイントが割り当てられている。この評価基準は、人材情報登録フォーム中の「評価基準表示」ボタンをクリックすることにより、受注企業のパソコン14に送信されて閲覧できるようになっている。
受注企業が送信された「人材情報登録フォーム」の空欄部分に必要事項を入力、或いはチェックをした後、「登録」ボタン（図６）をクリックすると、入力データがWebサーバ20に送信される。
【００３１】
人材情報の送信を受けると（Ｓ24）、APサーバ22の受注企業情報処理部28が、必要的記載事項が全て入力されていることを確認（Ｓ26）した上で、当該人材情報を、受注企業の受注企業情報と関連付けて受注企業情報データベース40内に格納する（Ｓ28）。この場合、スキル情報の各項目については、送信された段階（Ａ〜Ｅ）に対応するポイントが登録される。例えば、言語スキルのJava Servlet/JSPの項目について「Ｅ」段階が送信された場合には、図７の評価基準に従って、当該人材情報のJava Servlet/JSPの項目について１０ポイントが登録されることとなる。
尚、人材情報の上記入力項目や評価基準についても、システム側において適宜、増減、変更できることは当然である。また、複数の人材情報を登録することも勿論可能である。
【００３２】
次に、図２のブロック図及び図８のフローチャートに基づき、発注企業が自社のプロジェクトを請け負う受注企業を検索する際の処理手順について説明する。
まず、発注企業は、自社のパソコン12上に起動させたWebブラウザからセンターサーバ16のURLを入力し、インターネット18経由でセンターサーバ16にアクセスする。そして、パソコン12の画面に表示されるサービスメニューの中から「受注企業検索」を選択する（図示省略）。
ここで、発注企業は、システム10からユーザＩＤ及びパスワードの入力を要求され（Ｓ30）、発注企業がユーザＩＤ及びパスワードを入力・送信することによりその正当性が確認されると（Ｓ32）、Webサーバ20は図９に示す「受注企業検索フォーム」を発注企業のパソコン12に送信する（Ｓ34）。
【００３３】
本システム10においては、受注企業を企業条件と人材条件で検索することができるようになっている。また、検索された受注企業を何件迄表示するかの表示条件を任意に設定可能となっており、因みに図９においては、上位２０位までの受注企業を表示するように設定されている。
上記企業条件は、企業の所在地、資本金、従業員数等の企業自体の属性に関する条件であり、図９に示すように、各項目の「▼」ボタンをクリックして展開されるプルダウンメニューの中から検索条件を選択したり、或いは、キーボードを介して検索キーワードを直接入力することにより、検索条件が設定される。因みに、図９においては、企業条件として所在地が「東京都」であることが選択されている。
尚、図９に示した「所在地」、「資本金」、「従業員数」の検索項目は一例にすぎず、これ以外に、例えば受注企業の「事業内容」等の任意の検索項目を設けることができる。
また、受注企業が請け負うことのできる業務内容を予め受注企業情報データベース40内に登録しておき、業務条件で受注企業を検索できるようにしても良い。
【００３４】
人材条件は、各受注企業が登録した人材情報に関する条件であり、上記人材情報の登録時（図６参照）において、システム10側の定めた評価基準に従って自己評価して登録することを求めたスキル情報の項目（例えば、言語スキルのJava Servlet/JSP等）と、同一の項目が条件入力可能な項目として設けられており、スキル情報の各項目毎に、発注企業の評価ポイントを０〜１０ポイント迄の所定の数値範囲で入力できるようになっていると共に、当該項目のスキルが必須であるか否かを選択できるようになっている（図９）。
因みに、図９においては、言語スキルのJava Servlet/JSPの項目に６ポイント、Java Strutsの項目に１０ポイント、Java EJBの項目に３ポイント、Java JMSの項目に０ポイント、設計スキルのWeb系Javaフロントエンドの項目に５ポイント、Web系Java基盤に１０ポイントが入力されていると共に、言語スキルのJava Strutsと設計スキルのWeb系Java基盤の項目が「必須」に設定されている。
【００３５】
発注企業が、受注企業検索フォーム中の必要項目のボックス内に検索条件（表示条件、企業条件、人材条件）を選択・入力・チェックした後、「検索」ボタンをクリックすると、この検索条件はWebサーバ20に送信される。
これを受けて（Ｓ36）、受注企業情報処理部28が起動し、先ず、送信された人材条件に基づいて、受注企業情報データベース40内に登録されている各受注企業毎に企業ポイントを算出する（Ｓ38）。
【００３６】
この企業ポイントの算出は、受注企業が、人材情報の登録時に、システム10側で定めた評価基準に従って自己評価して登録した「スキル情報の各項目毎の保有ポイント」と、発注企業が受注企業検索時に設定した人材条件に関する「スキル情報の各項目毎の評価ポイント」とを、各項目毎に乗算した後、全ての項目のポイントを合算することにより算出される。  
図１０に基づいて、企業ポイントの算出方法を具体的に説明する。図１０においては、受注企業の人材情報として２人（No.001とNo.002）が登録されており、これら２人の保有ポイントを合計した結果、当該受注企業の「スキル情報の各項目毎の保有ポイント」は、「Java Servlet/JSPの項目は１６ポイント」、「Java Strutsの項目は１３ポイント」、「Java EJBの項目は６ポイント」、「Java JMSの項目は１８ポイント」、「Web系Javaフロントエンドの項目は１０ポイント」、「Web系Java基盤の項目は１２ポイント」となっている。
一方、発注企業が設定した「スキル情報の各項目毎の評価ポイント」は、「Java Servlet/JSPの項目は１０ポイント」、「Java Strutsの項目は８ポイント」、「Java EJBの項目は７ポイント」、「Java JMSの項目は０ポイント」、「Web系Javaフロントエンドの項目は５ポイント」、「Web系Java基盤の項目は４ポイント」となっている。また、「Java Servlet/JSPの項目」、「Web系Javaフロントエンドの項目」は、「必須」のスキル情報に設定されている。
【００３７】
この結果、図１０に例示した受注企業の企業ポイントは、以下の演算処理の結果、４０４ポイントと算出される。
受注企業の企業ポイント
＝Σ［受注企業の各項目の保有ポイント］×［発注企業の各項目の評価ポイント］
＝１６×１０（Java Servlet/JSP）＋１３×８（Java Struts）＋６×７（Java EJB）＋
１８×０（Java JMS）＋１０×５（Web系Javaフロントエンド）＋１２×４（Web系Java  基盤）
＝４０４ポイント
尚、発注企業が「必須」に設定したスキル情報の項目について、発注企業の保有ポイントが０の場合には、受注企業の企業ポイントは０ポイントと算出されるようになっている。
【００３８】
各受注企業の企業ポイント算出後、受注企業情報処理部28は、発注企業から送信された検索条件中の表示条件及び企業条件に合致する受注企業情報を抽出する（Ｓ40）。図９に示す表示条件及び企業条件が送信された場合には、住所（所在地）が東京都にあり、上記Ｓ28で算出された企業ポイントが上位２０位の受注企業情報が抽出される。
【００３９】
抽出された受注企業情報は、所定フォームでリスト化されて、Webサーバ20から発注企業のパソコン12に送信される（Ｓ42）。図１１は、発注企業のパソコン12の画面上に表示された受注企業情報リストの一例を示すものであり、企業名と企業ポイントが表示されている。
図１１において、発注企業が「詳細」の文字列をクリックすると、Webサーバ20に当該受注企業の詳細な受注企業情報の送信要求が出力され、これを受けて（Ｓ44）、受注企業情報処理部28が、詳細な受注企業情報を受注企業情報データベース40内から抽出し（Ｓ46）、Webサーバ20を介して発注企業のパソコン12に送信される（Ｓ48）。図１２は、発注企業のパソコン12の画面上に表示された詳細な受注企業情報の一例を示すものであり、受注企業の名称、住所、電話番号、事業内容等が表示されている。
【００４０】
図１２において、発注企業が「人材情報を見る」ボタンをクリックすると、Webサーバ20に当該受注企業の人材情報の送信要求が出力され、これを受けて（Ｓ50）、受注企業情報処理部28が、当該受注企業の受注企業情報と関連付けて登録されている人材情報を、受注企業情報データベース40内から抽出する（Ｓ52）。抽出された人材情報は、所定フォームでリスト化されて、Webサーバ20から発注企業のパソコン12に送信される（Ｓ54）。図１３は、発注企業のパソコン12の画面上に表示された人材情報リストの一例を示すものであり、各人材情報の番号とアピールが表示されている。
【００４１】
図１３において、発注企業が、各人材情報の「詳細情報を見る」ボタンをクリックすると、Webサーバ20に詳細な人材情報の送信要求が出力され、これを受けて（Ｓ56）、受注企業情報処理部28が、詳細な人材情報を受注企業情報データベース40内から抽出し（Ｓ58）、Webサーバ20を介して発注企業のパソコン12に送信される（Ｓ60）。図１４は、発注企業のパソコン12の画面上に表示された詳細な人材情報の一例を示すものであり、当該人材の経験年数、保有スキル情報等が表示されている。尚、図１４の画面中の「評価基準表示」ボタンをクリックすることにより、図７に示す如き、スキル情報の各項目の評価基準が、発注企業のパソコン12に送信されて閲覧できるようになっている。
【００４２】
発注企業が、送信された受注企業情報及び人材情報を検討し、自社のプロジェクトを請け負わせたい受注企業が見つかった場合には、図１１のリスト中の特定企業の「応募依頼」のチェックボックスにチェックを入れて選択した後、「応募依頼メールの送信」ボタンをクリックして、Webサーバ20に対して自社プロジェクトへの応募依頼メールの送信要求を出力する。
自社のプロジェクトを１社の受注企業だけでは遂行できないと考える場合等には、発注企業は、複数の受注企業を選択することにより、複数の受注企業へ応募依頼メールを送信することができるので、利便性が高い。
上記応募依頼メールの送信要求を受けると（Ｓ62）、プロジェクト情報処理部26によって、当該発注企業のプロジェクト情報がプロジェクト情報データベース38内から抽出され、Webサーバ20から、図１５に示す応募依頼メールを送信する対象プロジェクトの選択ページ（HTML形式のウェブページ）が送信される（Ｓ64）。
【００４３】
図１５において、発注企業が、受注企業に対して応募依頼メールを送信する対象プロジェクトのチェックボックスにチェックを入れた後「送信ボタン」をクリックすると、Webサーバ20から図１６に示す応募依頼用のメールフォームが発注企業のパソコン12に送信される（Ｓ66）。
図１６のメールフォームにおいては、プロジェクト名・プロジェクトＩＤ（ＪａｖａによるＷＥＢ開発・Ｎｏ．７７）、タイトル（プロジェクトの応募依頼）、プロジェクト情報データベース38内のプロジェクト情報とリンクされた文字列（プロジェクト詳細を見る）が予め記述されている。発注企業が、通常の電子メールを作成する要領で本文を入力して「送信」ボタンをクリックすると、応募依頼メールがWebサーバ20に送信され、これを受けて（Ｓ68）、APサーバ22の電子メール処理部32は、当該応募依頼メールに、送信した発注企業のユーザＩＤと、メールの送信先となる受注企業のユーザＩＤを関連付けて電子メールデータベース44内に登録する（Ｓ70）。
【００４４】
上記応募依頼メールの送信先の受注企業が、インターネット18経由でセンターサーバ16にアクセスすると、上記電子メール処理部32が起動し、電子メールデータベース44内から上記応募依頼メールを抽出し、Webサーバ20を介して受注企業のパソコン14に送信する（Ｓ72）。この結果、発注企業は、プロジェクトを請け負わせたい受注企業と接触することができる。
図１７は、受注企業のパソコン14に送信された応募依頼メールを示すものであり、ここで受注企業が、「プロジェクト詳細を見る」の文字列をクリックすると、当該プロジェクト情報の送信要求がWebサーバ20に送信される。これを受けて（Ｓ74）、プロジェクト情報処理部26が起動し、プロジェクト情報データベース38内から該当するプロジェクト情報を抽出し、Webサーバ20を介して受注企業のパソコン14に送信する（Ｓ76）。
【００４５】
受注企業が、送信された応募依頼メール及びプロジェクト情報を検討した結果、当該プロジェクトへ応募する場合には、図１７の画面中の「応募する」ボタンをクリックして、Webサーバ20に対して応募メールの送信要求を出力する。これを受けて（Ｓ78）、Webサーバ20は、図１８に示す応募用のメールフォームを受注企業のパソコン14に送信する（Ｓ80）。
図１８のメールフォームにおいては、プロジェクト名（ＪａｖａによるＷＥＢ開発）、タイトル（プロジェクトへの応募）が予め記述されている。また、当該プロジェクトを受注企業が請け負った場合の見積り金額の入力欄が設けられている。受注企業が、メールの本文、見積金額を入力して「送信」ボタンをクリックすると、応募メールがWebサーバ20に送信され、これを受けて（Ｓ82）、APサーバ22の電子メール処理部32は、当該応募メールに、送信した受注企業のユーザＩＤと、メールの送信先となる発注企業のユーザＩＤを関連付けて電子メールデータベース44内に登録する（Ｓ84）。
【００４６】
上記応募メールの送信先の発注企業が、インターネット18経由でセンターサーバ16にアクセスすると、上記電子メール処理部32が起動し、電子メールデータベース44内から上記応募メールを抽出し、Webサーバ20を介して発注企業のパソコン12に送信する（Ｓ86）。この結果、受注企業は、自社が請け負いたいプロジェクトを登録した発注企業と接触することができる。尚、見積金額が入力された応募メールが送信された場合には、発注企業は、当該見積金額を検討して、応募メールを送信した受注企業にプロジェクトの発注を行うか否かの判断を行うことができるので、利便性が高い。
【００４７】
上記の通り、本システム10によれば、プロジェクト情報を登録した発注企業が、所望の検索条件を入力して自社のプロジェクトを請け負わせたい受注企業情報を検索することにより、プロジェクト単位で、当該プロジェクトを請け負う企業を見つけたいプロジェクトの発注企業と、特定のプロジェクトを請け負いたい受注企業とのマッチングを行うことができる。
【００４８】
また、上記の通り、発注企業は、各受注企業が抱える人材の人材情報に基づいても受注企業の検索を行うことができるので、自社のプロジェクトを遂行できる能力を持った人材を抱えた受注企業を適切に選択することができる。
しかも、受注企業が登録した「スキル情報の各項目毎の保有ポイント」と、発注企業が送信した「スキル情報の各項目毎の評価ポイント」とを、各項目毎に乗算した後、全ての項目のポイントを合算して算出した受注企業の「企業ポイント」が、発注企業のパソコン12に送信されるようになっている。この結果、企業ポイントが高い受注企業ほど、当該発注企業のプロジェクトを遂行できる能力の高いことが判るため、発注企業は、自社のプロジェクトを請け負わせる受注企業を、より一層適切に選択することができる。
【００４９】
次に、図２のブロック図及び図１９のフローチャートに基づき、受注企業がプロジェクト情報を検索し、検索したプロジェクト情報に応募する際の処理手順について説明する。
まず、受注企業は、自社のパソコン14上に起動させたWebブラウザからセンターサーバ16のURLを入力し、インターネット18経由でセンターサーバ16にアクセスする。そして、パソコン14の画面に表示されるサービスメニューの中から「プロジェクト検索」を選択する（図示省略）。
ここで、受注企業は、システム10からユーザＩＤ及びパスワードの入力を要求され（Ｓ90）、受注企業がユーザＩＤ及びパスワードを入力・送信することによりその正当性が確認されると（Ｓ92）、Webサーバ20は図２０に示すプロジェクト検索ページを受注企業のパソコン14に送信する（Ｓ94）。プロジェクト検索ページには、プロジェクト情報のカテゴリーが記述されており、受注企業が希望するカテゴリーの文字列を選択してクリックすると、「選択したカテゴリーに属するプロジェクト情報」が検索条件としてWebサーバ20に出力される。
尚、上記カテゴリーによる検索方法は一例にすぎず、、これ以外に、例えばキーワード入力による検索等、適宜な検索方法を採用することができる。
【００５０】
送信された検索条件を受けて（Ｓ96）、APサーバ22のプロジェクト情報処理部26が起動し、送信されたカテゴリーに属するプロジェクト情報をプロジェクト情報データベース38内から抽出し（Ｓ98）する。抽出されたプロジェクト情報は、所定フォームでリスト化されて、Webサーバ20から受注企業のパソコン14に送信される（Ｓ100）。図２１は、受注企業のパソコン14の画面上に表示されたプロジェクト情報リストの一例を示すものであり、プロジェクト名が表示されている。
図２１において、受注企業が「詳細」の文字列をクリックすると、Webサーバ20に当該プロジェクトの詳細情報の送信要求が出力され、これを受けて（Ｓ102）、プロジェクト情報処理部26により、詳細なプロジェクト情報がプロジェクト情報データベース38内から抽出され（Ｓ104）、Webサーバ20を介して受注企業のパソコン14に送信される（Ｓ106）。
また、図２１において、受注企業が「企業情報」の文字列をクリックすると、Webサーバ20に当該プロジェクトを登録した発注企業情報の送信要求が出力され、これを受けて（Ｓ108）、発注企業情報処理部24は、該当する発注企業情報を発注企業情報データベース36内から抽出し（Ｓ110）、Webサーバ20を介して受注企業のパソコン14に送信する（Ｓ112）。
【００５１】
受注企業が、送信されたプロジェクト情報及び発注企業情報を検討した結果、当該プロジェクトへ応募する場合には、図２１のリスト中の特定プロジェクトのチェックボックスにチェックを入れて選択した後、「応募」ボタンをクリックして、Webサーバ20に対して応募メールの送信要求を出力する。これを受けて（Ｓ114）、Webサーバ20は、応募用のメールフォーム（図１８参照）を受注企業のパソコン14に送信する（Ｓ116）。
受注企業が、メールの本文及び見積金額を入力して「送信」ボタンをクリックすると、応募メールがWebサーバ20に送信され、これを受けて（Ｓ118）、APサーバ22の電子メール処理部32は、当該応募メールに、送信した受注企業のユーザＩＤと、メールの送信先となる発注企業のユーザＩＤを関連付けて電子メールデータベース44内に登録する（Ｓ120）。
上記応募メールの送信先の発注企業が、インターネット18経由でセンターサーバ16にアクセスすると、上記電子メール処理部32が起動し、電子メールデータベース44内から上記応募メールを抽出し、Webサーバ20を介して発注企業のパソコン12に送信する（Ｓ122）。
【００５２】
尚、上記において、発注企業が登録したプロジェクトの請負先となる受注企業が決定し、その旨の報告がセンターサーバ16に送信された場合には、当該プロジェクト情報に、請負先である受注企業のユーザＩＤが関連付けられて、プロジェクト情報データベース38内に登録されるようになっている。
【００５３】
上記の通り、本システム10においては、受注企業も、検索条件を入力してプロジェクト情報を検索することにより、自社が請け負いたいプロジェクトを見つけることができる。また、自社が請け負いたいプロジェクトを登録した発注企業に応募メールを送信することにより、積極的に接触することができる。
【００５４】
本システム10においては、プロジェクトの進捗状況を登録・閲覧できる機能を備えている。以下において、図２のブロック図及び図２２のフローチャートに基づいて、受注企業がプロジェクトの進捗情報を登録すると共に、発注企業がプロジェクトの進捗情報を閲覧する際の処理手順について説明する。
まず、受注企業は、インターネット18経由でセンターサーバ16にアクセスし、パソコン14の画面に表示されるサービスメニューの中から「進捗情報登録」を選択する（図示省略）。
ここで、受注企業は、システム10からユーザＩＤ及びパスワードの入力を要求され（Ｓ130）、受注企業がユーザＩＤ及びパスワードを入力・送信することによりその正当性が確認されると（Ｓ132）、プロジェクト情報処理部26によって、当該受注企業が請負先として登録されているプロジェクト情報がプロジェクト情報データベース38内から抽出され、Webサーバ20から、図２３に例示した進捗情報を登録する対象プロジェクトの選択ページが送信される（Ｓ134）。
【００５５】
図２３において、受注企業が、進捗情報を登録する対象プロジェクトのチェックボックスにチェックを入れた後「送信」ボタンをクリックすると、Webサーバ20から図２４に例示された進捗情報入力フォームが受注企業のパソコン14に送信される（Ｓ136）。
図２４の進捗情報入力フォームにおいては、プロジェクトの工程別予定・実績対比、担当者別の予定・実績対比を進捗情報として入力できるようになっている。勿論、進捗情報の入力項目はシステム10側において任意に選定できるものである。
受注企業が、フォーム中に入力した後、「登録」ボタンをクリックすると、入力された進捗情報がWebサーバ20に送信され、これを受けて（Ｓ138）、APサーバ22の進捗情報処理部34は、当該進捗情報に、プロジェクト情報のＩＤ及び受注企業のユーザＩＤを関連付けて進捗情報データベース46内に登録する（Ｓ140）。
【００５６】
一方、発注企業が、自社のプロジェクトの進捗情報を閲覧する場合には、インターネット18経由でセンターサーバ16にアクセスし、パソコン12の画面に表示されるサービスメニューの中から「進捗情報閲覧」を選択する（図示省略）。
ここで、発注企業は、システム10からユーザＩＤ及びパスワードの入力を要求され（Ｓ142）、発注企業がユーザＩＤ及びパスワードを入力・送信することによりその正当性が確認されると（Ｓ144）、プロジェクト情報処理部26によって、当該発注企業の登録したプロジェクト情報がプロジェクト情報データベース38内から抽出され、Webサーバ20から、図２５に例示した進捗情報を閲覧する対象プロジェクトの選択ページが送信される（Ｓ146）。
【００５７】
図２５において、発注企業が、進捗情報を閲覧する対象プロジェクトのチェックボックスにチェックを入れた後「送信」ボタンをクリックすると、当該プロジェクトの進捗情報の送信要求がWebサーバ20に出力され、これを受けて（Ｓ148）、進捗情報処理部34は、進捗情報データベース46内から該当する進捗情報を抽出し（Ｓ150）、発注企業のパソコン12に送信する（Ｓ152）。図２６は、発注企業のパソコン12に送信された進捗情報を例示したものであり、受注企業が登録したプロジェクトの工程別予定・実績対比、担当者別の予定・実績対比を閲覧することができる。
【００５８】
このように、本システム10にあっては、プロジェクトを発注した発注企業は、受注企業が登録した当該プロジェクトの進捗情報を閲覧することができるので、自社プロジェクトの進捗状況を容易に把握することができる。
【００５９】
また、本システム10においては、プロジェクトを請け負った受注企業に対する評価を登録・閲覧できる機能を備えている。以下において、図２のブロック図及び図２７のフローチャートに基づいて、発注企業が自社のプロジェクトを請け負った受注企業に対する評価情報を登録すると共に、受注企業が自社の評価情報を閲覧する際の処理手順について説明する。
まず、発注企業は、インターネット18経由でセンターサーバ16にアクセスし、パソコン12の画面に表示されるサービスメニューの中から「評価情報登録」を選択する（図示省略）。
ここで、発注企業は、システム10からユーザＩＤ及びパスワードの入力を要求され（Ｓ160）、受注企業がユーザＩＤ及びパスワードを入力・送信することによりその正当性が確認されると（Ｓ162）、プロジェクト情報処理部26によって、当該発注企業が登録したプロジェクト情報がプロジェクト情報データベース38内から抽出され、Webサーバ20から、図２８に例示した評価情報を登録する対象プロジェクトの選択ページが送信される（Ｓ164）。
【００６０】
図２８において、発注企業が、評価情報を登録する対象プロジェクトのチェックボックスにチェックを入れた後「送信」ボタンをクリックすると、Webサーバ20から、図２９に例示した評価情報を登録する対象受注企業の選択ページが送信される（Ｓ166）。発注企業が、評価情報を登録する対象受注企業のチェックボックスにチェックを入れた後「送信」ボタンをクリックすると、図３０に例示された評価情報入力フォームが発注企業のパソコン12に送信される（Ｓ168）。
図３０の評価情報入力フォームにおいては、要件の達成率、バグの発生率、提案力、技術力等を評価情報として入力できるようになっている。勿論、評価情報の入力項目はシステム10側において任意に選定できるものである。
発注企業が、フォーム中に入力した後、「登録」ボタンをクリックすると、入力された評価情報がWebサーバ20に送信され、これを受けて（Ｓ170）、APサーバ22の評価情報処理部30は、当該評価情報に、プロジェクト情報のＩＤ及び受注企業のユーザＩＤを関連付けて評価情報データベース42内に登録する（Ｓ172）。
【００６１】
一方、受注企業が、自社の評価情報を閲覧する場合には、インターネット18経由でセンターサーバ16にアクセスし、パソコン14の画面に表示されるサービスメニューの中から「評価情報閲覧」を選択する（図示省略）。
ここで、受注企業は、システム10からユーザＩＤ及びパスワードの入力を要求され（Ｓ174）、受注企業がユーザＩＤ及びパスワードを入力・送信することによりその正当性が確認されると（Ｓ176）、プロジェクト情報処理部26によって、当該受注企業が請負先として登録されているプロジェクト情報がプロジェクト情報データベース38内から抽出され、Webサーバ20から、図３１に例示した評価情報を閲覧する対象プロジェクトの選択ページが送信される（Ｓ178）。
【００６２】
図３１において、受注企業が、評価情報を閲覧する対象プロジェクトのチェックボックスにチェックを入れた後「送信」ボタンをクリックすると、当該プロジェクトの評価情報の送信要求がWebサーバ20に出力され、これを受けて（Ｓ180）、評価情報処理部30は、評価情報データベース42内から該当する評価情報を抽出し（Ｓ182）、受注企業のパソコン14に送信する（Ｓ184）。図３２は、受注企業のパソコン14に送信された評価情報を例示したものであり、発注企業が登録した当該受注企業に対する評価を閲覧することができる。
【００６３】
このように、本システム10にあっては、プロジェクトを請け負った受注企業は、当該プロジェクトの発注企業が登録した自社の評価情報を閲覧することにより、自社がどのように評価されているかを客観的に把握できる。
尚、上記評価情報は、当該評価情報を登録した発注企業以外の他の発注企業、当該評価情報の対象である受注企業以外の他の受注企業にも広く公開するのが望ましい。この場合には、各発注企業は、各受注企業の評価情報を参考にした上で自社プロジェクトを請け負う受注企業を見つけることができるようになり、また、各受注企業は、他の受注企業の評価を知ることができるようになる。
【図面の簡単な説明】
【００６４】
【図１】この発明に係るプロジェクト受発注システムの全体像を示すイメージ図である。
【図２】この発明に係るプロジェクト受発注システムの機能構成を示すブロック図である。
【図３】発注企業のプロジェクト情報入力フォームの画面表示例を示す説明図である。
【図４】受注企業が、自社の受注企業情報及び人材情報を本システムに登録する際の処理手順を示すフローチャートである。
【図５】受注企業情報入力フォームの画面表示例を示す説明図である。
【図６】受注企業の人材情報登録フォームの画面表示例を示す説明図である。
【図７】スキル情報の評価基準の一例を示す説明図である。
【図８】発注企業が自社のプロジェクトを請け負う受注企業を検索する際の処理手順を示すフローチャートである。
【図９】発注企業のパソコンに送信された検索条件入力フォームの画面表示例を示す説明図である。
【図１０】企業ポイントの算出方法を示す説明図である。
【図１１】発注企業のパソコンに送信された受注企業情報リストの画面表示例を示す説明図である。
【図１２】発注企業のパソコンに送信された受注企業情報の画面表示例を示す説明図である。
【図１３】発注企業のパソコンに送信された人材情報リストの画面表示例を示す説明図である。
【図１４】発注企業のパソコンに送信された人材情報の画面表示例を示す説明図である。
【図１５】発注企業のパソコンに送信された対象プロジェクトの選択ページの画面表示例を示す説明図である。
【図１６】発注企業のパソコンに送信された応募依頼用のメールフォームの画面表示例を示す説明図である。
【図１７】受注企業のパソコンに送信された応募依頼メールの画面表示例を示す説明図である。
【図１８】受注企業のパソコンに送信された応募用のメールフォームの画面表示例を示す説明図である。
【図１９】受注企業がプロジェクト情報を検索し、検索したプロジェクト情報に応募する際の処理手順を示すフローチャートである。
【図２０】受注企業のパソコンに送信されたプロジェクト検索ページの画面表示例を示す説明図である。
【図２１】受注企業のパソコンに送信されたプロジェクト情報リストの画面表示例を示す説明図である。
【図２２】進捗情報の登録・閲覧を行う際の処理手順を示すフローチャートである。
【図２３】受注企業のパソコンに送信された、進捗情報を登録する対象プロジェクトの選択ページの画面表示例を示す説明図である。
【図２４】受注企業のパソコンに送信されたプロジェクトの進捗情報入力フォームの画面表示例を示す説明図である。
【図２５】発注企業のパソコンに送信された、進捗情報を閲覧する対象プロジェクトの選択ページの画面表示例を示す説明図である。
【図２６】発注企業のパソコンに送信されたプロジェクトの進捗情報の画面表示例を示す説明図である。
【図２７】評価情報の登録・閲覧を行う際の処理手順を示すフローチャートである。
【図２８】発注企業のパソコンに送信された、評価情報を登録する対象プロジェクトの選択ページの画面表示例を示す説明図である。
【図２９】発注企業のパソコンに送信された、評価情報を登録する対象受注企業の選択ページの画面表示例を示す説明図である。
【図３０】発注企業のパソコンに送信されたプロジェクトの評価情報入力フォームの画面表示例を示す説明図である。
【図３１】受注企業のパソコンに送信された、評価情報を閲覧する対象プロジェクトの選択ページの画面表示例を示す説明図である。
【図３２】受注企業のパソコンに送信されたプロジェクトの評価情報の画面表示例を示す説明図である。
【符号の説明】
【００６５】
10  プロジェクト受発注システム
12  発注企業のパソコン
14  受注企業のパソコン
16  センターサーバ
18  インターネット
20  Webサーバ
22  APサーバ
24  発注企業情報処理部
26  プロジェクト情報処理部
28  受注企業情報処理部
30  評価情報処理部
32  電子メール処理部
34  進捗情報処理部
36  発注企業情報データベース
38  プロジェクト情報データベース
40  受注企業情報データベース
42  評価情報データベース
44  電子メールデータベース
46  進捗情報データベース
【図１】
2005174064.tif 000003
【図２】
2005174064.tif 000004
【図３】
2005174064.tif 000005
【図４】
2005174064.tif 000006
【図５】
2005174064.tif 000007
【図６】
2005174064.tif 000008
【図７】
2005174064.tif 000009
【図８】
2005174064.tif 000010
【図９】
2005174064.tif 000011
【図１０】
2005174064.tif 000012
【図１１】
2005174064.tif 000013
【図１２】
2005174064.tif 000014
【図１３】
2005174064.tif 000015
【図１４】
2005174064.tif 000016
【図１５】
2005174064.tif 000017
【図１６】
2005174064.tif 000018
【図１７】
2005174064.tif 000019
【図１８】
2005174064.tif 000020
【図１９】
2005174064.tif 000021
【図２０】
2005174064.tif 000022
【図２１】
2005174064.tif 000023
【図２２】
2005174064.tif 000024
【図２３】
2005174064.tif 000025
【図２４】
2005174064.tif 000026
【図２５】
2005174064.tif 000027
【図２６】
2005174064.tif 000028
【図２７】
2005174064.tif 000029
【図２８】
2005174064.tif 000030
【図２９】
2005174064.tif 000031
【図３０】
2005174064.tif 000032
【図３１】
2005174064.tif 000033
【図３２】
2005174064.tif 000034